(57)【要約】【課題】放熱と異物進入防止を兼ね備えた回転子構造を提供する。【解決手段】  放熱と異物進入防止を兼ね備えた回転子構造は、少なくともボス及びボス内に設けたキャップを具え、その中でボスは封止壁及び封止壁に連なるボス壁を具え、封止壁に少なくとも一つの通孔を設け、キャップはボスの封止壁に隣接する一端に頂壁を具え、及び頂壁に連なるキャップ壁を具え、頂壁に少なくとも一つの貫通孔を設け、この貫通孔の位置とボスの通孔の位置とを互いにずらして、流体がこの通孔と貫通孔を流出して放熱作用を達成できるとともに、異物が通孔と貫通孔に入るのを防止できるようにする。【選択図】  図  ２
2006180669.tif 000002
【特許請求の範囲】
【請求項１】
放熱と異物進入防止を兼ね備えた回転子構造は、少なくともボスとボス内に設けたキャップを具え、該ボスは封止壁及び封止壁に連なるボス壁を具え、且つ該封止壁に少なくとも一つの通孔を設け、該キャップの該ボス封止壁に隣接する一端に頂壁を設けるとともに、頂壁に連なるキャップ壁を具え、且つ該頂壁に少なくとも一つの貫通孔を設け、
該ボスの通孔の位置と該キャップの貫通孔の位置とがずれているようにして成ることを特徴とする放熱と異物進入防止を兼ね備えた回転子構造。
【請求項２】
該ボスの封止壁と該キャップの頂壁との間に空間を形成するようにして成ることを特徴とする請求項１記載の自己放熱と異物進入防止を具えた回転子構造。
【請求項３】
該ボスは樹脂材料であるようにして成ることを特徴とする請求項１記載の放熱と異物進入防止を兼ね備えた回転子構造。
【請求項４】
該キャップは良熱伝導性材料であるようにして成ることを特徴とする請求項１記載の放熱と異物進入防止を兼ね備えた回転子構造。
【請求項５】
該良熱伝導性材料は金属材質であるようにして成ることを特徴とする請求項４記載の放熱と異物進入防止を兼ね備えた回転子構造。
【請求項６】
該ボスとキャップの間に接着剤を塗布して成ることを特徴とする請求項１記載の放熱と異物進入防止を兼ね備えた回転子構造。
【発明の詳細な説明】
【技術分野】
【０００１】
本発明は放熱と異物進入防止を兼ね備えた回転子構造に関し、特に放熱と異物進入防止を備えた回転子の構造に関する。
【背景技術】
【０００２】
図１に示すように、一般の公知の回転子構造をモータに使用した図で、キャップ１１とこのキャップ１１の外表面を覆って設けたボス１２を具え、そのキャップ１１は頂壁１１１とこの頂壁１１１と一体成型で下向きに延伸した側壁１１２を具え、且つ頂壁１１１に複数の貫通孔１１３をあける。ボス１２はキャップ１１の頂壁１１１に緊密に隣接して封止壁１２１を具えるとともに、側壁１１２に緊密に隣接して封止壁１２１と一体成型したボス壁１２２を具え、且つ封止壁１２１は頂壁１１１の貫通孔１１３に対応した箇所に通孔１２３を設けることによって、貫通孔１１３と通孔１２３が同軸の流路を形成して流体が流動できるようにする。キャップ１１とボス１２の内部に設けたモータ回転子１３とモータ固定子１４とが回転すると、回転のエネルギーに伴って発生した熱エネルギーがキャップ１１とボス１２内の流体温度を上昇させ、同軸の貫通孔１１３と通孔１２３によって温度上昇した流体が貫通孔１１３と通孔１２３を通って外へ流出するようにし、ひいてはキャップ１１とボス１２内の熱を放散させる効果を達成し、モータ回転子１３とモータ固定子１４の使用寿命を向上させる。
また、キャップ１１は金属材料で構成し、ボス１２は樹脂材料で構成する。
【０００３】
しかし、上述の実施方法には問題があり、ボス１２の通孔１２３の位置とキャップ１１の貫通孔１１３の位置とが対応して同軸であるため、異物が通孔１２３と貫通孔１１３からキャップ１１内部に直接落ちたり入り込んだりしやすく、ひいては内部の運転に影響が出る。
更に、キャップ１１は金属材質で、モータ回転子１３とモータ固定子１４とが回転して発生する熱を伝導するが、キャップ１１に密着しているボス１２は樹脂材料で構成され、ボス１２の熱伝導作用はキャップ１１が生み出す熱伝導作用には遠く及ばない。二種の異なる材質が密着し、その外層のボス１２の熱伝導率はキャップ１１の熱伝導率より大幅に低いために、キャップ１１の熱伝導作用に影響して、キャップ１１が伝導した熱が放散できず、放熱効果が大きく割り引かれる。
【発明の開示】
【発明が解決しようとする課題】
【０００４】
本発明は、ボスの通孔とキャップの通孔を互いにずらすことによって、異物落下や進入を防止するとともに流体が出入りするようにして放熱の効果を達成できるようにすることを主要な目的とする。
本発明はまた、ボスの封止壁とキャップの頂壁との間に空間を形成して流体が流動するようにして、キャップに対して自然対流を生じてキャップの放熱を補助することをもう一つの目的とする。
【課題を解決するための手段】
【０００５】
本発明の放熱と異物進入防止を兼ね備えた回転子構造は、少なくともボスとボス内に設けたキャップを具える。その中でボスは封止壁及び封止壁に連なるボス壁を具え、封止壁に少なくとも一つの通孔を設ける。キャップはボスの封止壁に隣接した一端に頂壁を設け、頂壁に連なるキャップ壁を具える。この頂壁に少なくとも一つの貫通孔を設け、貫通孔の位置とボスの通孔の位置とをずらすことによって、流体が通孔と貫通孔を入出して放熱できるとともに、通孔と貫通孔に異物が落ち込むのを防止できる。
【発明の効果】
【０００６】
キャップは良熱伝導性材料で形成して、モータ回転子とモータ固定子との回転により発生した熱を伝導し、ボスの封止壁とキャップの頂壁の間に形成した空間では、流体が空間内で流動しキャップに対し自然対流を起こすようにし、ボスの通孔から外へ流出するようにして、キャップの放熱を補助する。またボスの通孔の位置とキャップの貫通孔の位置とは互いにずれているため、異物が通孔と貫通孔からキャップ内に直接落下したり進入したりするのを防ぐことができ、公知技術で異物が落下したり進入したりしてモータ回転子とモータ固定子の運転に影響する問題を改善し、効果的に全体の放熱効率を向上することができ、またモータ回転子とモータ固定子の使用寿命を延長することができる。
【発明を実施するための最良の形態】
【０００７】
本発明が提供する放熱と異物進入防止を兼ね備えた回転子構造とその機能上の特性を、好適な実施例の図に沿って説明する。図２、図３に示すように、少なくともボス２１とキャップ２２を具える。その中でボス２１は封止壁２１１及び封止壁２１１に連なり下向きに延伸したボス壁２１２を具え、封止壁２１１に少なくとも一つの通孔２１３を設け、ボス２１の封止壁２１１とボス壁２１２にそれぞれ凸部２１４を設ける。キャップ２２には頂壁２２１及び頂壁２２１に連なり下向きに延伸したキャップ壁２２２を形成し、キャップ２２の頂壁２２１に少なくとも一つの貫通孔２２３を設ける。組立て時にはキャップ２２をボス２１内に組み込み、ボス２１がキャップ２２の外表面を覆うように設置し、凸部２１４でキャップ２２に当接固定しそのままボス２１の封止壁２１１がキャップ２２の頂壁２２１に隣接し、ボス２１のボス壁２１２がキャップ２２のキャップ壁２２２に隣接するようにする。
【０００８】
ボス２１の通孔２１３の位置とキャップ２２の貫通孔２２３の位置は互いにずれて、即ち通孔２１３と貫通孔２２３は同一中心軸にはなく、ボス２１の通孔２１３からはキャップ２２の頂壁２２１しか見えない。またボス２１の封止壁２１１とキャップ２２の頂壁２２との間にボス２２内の凸部２１４を設置してあるため、封止壁２１１と頂壁２２１の間に空間２３を形成できる。また、ボス２１は樹脂材料で形成してよく、キャップ２２は金属材質のような良熱伝導性材料で形成してよく、且つ図には表示していないがボス２１とキャップ２２の間に接着剤を塗布する。
【０００９】
図４に本発明の好適な実施例をファンモータに応用した断面図を示す。合わせて図２に示すように、ファンモータのモータ回転子２５はキャップ２２のキャップ壁２２２内面に設け、モータ固定子２６をモータベース２７上に設置し、モータ固定子２６とモータ回転子２５との間に磁性接続を形成し、モータ固定子２６とモータ回転子２５の磁性が励起されるとボス２１とキャップ２２を駆動して回転し、流体の移動を発生させる。モータ回転子２５とモータ固定子２６の間の回転は物理運動を経て磁力作用から熱エネルギーに転換され、この時ボス２１とキャップ２２内の流体は温度上昇作用が発生する。温度上昇した流体はボス２１とキャップ２２の回転によって流動し、更にボス２１の通孔２１３とキャップ２２の貫通孔２２３を経て外へ流出し、ボス２１とキャップ２２内の熱エネルギーが放散される。
【００１０】
キャップ２２は良熱伝導性材料で形成して、モータ回転子２５とモータ固定子２６との回転により発生した熱を伝導し、ボス２１の封止壁２１１とキャップ２２の頂壁２２１の間に形成した空間２３で、流体が空間２３で流動しキャップ２２に対し自然対流を起こすようにし、ボス２１の通孔２１３から外へ流出するようにして、キャップ２２の放熱を補助する。またボス２１の通孔２１３の位置とキャップ２２の貫通孔２２３の位置とは互いにずれているため、異物が通孔２１３と貫通孔２２３からキャップ２２内に直接落下したり進入したりするのを防ぐことができ、公知技術で異物が落下したり進入したりしてモータ回転子２５とモータ固定子２６の運転に影響する問題を改善し、効果的に全体の放熱効率を向上することができ、またモータ回転子２５とモータ固定子２６の使用寿命を延長することができる。
【図面の簡単な説明】
【００１１】
【図１】公知の回転子構造をファンモータに使用した断面略図である。
【図２】本発明の好適な実施例の断面分解略図である。
【図３】本発明の好適な実施例の断面組立略図である。
【図４】本発明の好適な実施例をファンモータに使用した断面略図である。
【符号の説明】
【００１２】
１１ キャップ
１１１ 頂壁
１１２ 側壁
１１３ 貫通孔
１２ ボス
１２２ ボス壁
１２３ 通孔
１３ モータ回転子
１４ モータ固定子
２１ ボス
２１１ 封止壁
２１２ ボス壁
２１３ 通孔
２１４ 凸部
２２ キャップ
２２１ 頂壁
２２２ キャップ壁
２２３ 貫通孔
２３ 空間
２５ モータ回転子
２６ モータ固定子
２７ モータベース
【図１】
2006180669.tif 000003
【図２】
2006180669.tif 000004
【図３】
2006180669.tif 000005
【図４】
2006180669.tif 000006